(57)【要約】【課題】搬送移動車両によるコーナリング中、駆動エネルギーロスを抑制すること。【解決手段】予め定められた走行ルートを、牽引車両１で台車２，３，４を牽引する形式の搬送移動車両５により走行する無人搬送システムの走行制御方法である。台車２，３，４の減速機構は、牽引機能を有する牽引車両１の減速によって生じる慣性入力で制動ブレーキ４２，４３，４４が作動する仕組とする。上限コーナリング速度Vcmaxを用いて速度プロファイルを生成する際、搬送移動車両５が走行ルートの直線部６１を走行中、曲線部６０が開始される前の曲線部開始手前点ａに到達すると、曲線部６０に入るまでに直線部上限速度Vsmaxから上限コーナリング速度Vcmax以下のコーナリング速度Vcまで減速する。曲線部６０に入ると、牽引車両１及び台車２，３，４が曲線部６０を走破するまでのコーナリング中、減速することなく走行する。【選択図】図７
2019036036.tif 000002
【特許請求の範囲】
【請求項１】
予め定められた走行ルートを、牽引車両で被牽引車両を牽引する形式の搬送移動車両により走行する搬送システムの走行制御方法において、
前記被牽引車両の減速機構は、牽引機能を有する前記牽引車両の減速によって生じる慣性入力でブレーキが作動する仕組とし、
前記走行ルートに沿って前記搬送移動車両が走行するとき、前記牽引車両と前記被牽引車両の仕様によって物理的に決定される上限コーナリング速度を用いて速度プロファイルを生成し、
前記搬送移動車両が前記走行ルートの直線部を走行中、曲線部が開始される前の曲線部開始手前点に到達すると、前記曲線部に入るまでに直線部速度から前記上限コーナリング速度以下のコーナリング速度まで減速し、
前記曲線部に入ると、前記牽引車両及び前記被牽引車両が前記曲線部を走破するまでのコーナリング中、減速することなく走行する
ことを特徴とする搬送システムの走行制御方法。
【請求項２】
請求項１に記載された搬送システムの走行制御方法において、
前記直線部速度から前記コーナリング速度まで減速するのに必要とする距離を減速必要距離とし、前記コーナリング速度までの減速から等速又は加速へと移行するのに必要とする距離を移行必要距離としたとき、
前記曲線部開始手前点は、前記曲線部開始点から、前記減速必要距離と前記移行必要距離を加えた距離以上の手間位置に設定する
ことを特徴とする搬送システムの走行制御方法。
【請求項３】
請求項１又は２に記載された搬送システムの走行制御方法において、
前記搬送移動車両を、前記曲線部に到達するまでに前記上限コーナリング速度以下のコーナリング速度まで減速させると、前記牽引車両及び前記被牽引車両が前記曲線部を走破するまでのコーナリング中、前記コーナリング速度を維持したままで走行する
ことを特徴とする搬送システムの走行制御方法。
【請求項４】
請求項１又は２に記載された搬送システムの走行制御方法において、
前記搬送移動車両を、前記曲線部に到達するまでに前記上限コーナリング速度未満のコーナリング速度まで減速させると、前記牽引車両及び前記被牽引車両が前記曲線部を走破するまでのコーナリング中、微増速による加速度を維持したままで走行する
ことを特徴とする搬送システムの走行制御方法。
【請求項５】
請求項４に記載された搬送システムの走行制御方法において、
前記コーナリング中の加速度は、前記搬送移動車両が前記曲線部を走破した時点での速度が、前記上限コーナリング速度以下となるように設定する
ことを特徴とする搬送システムの走行制御方法。
【請求項６】
請求項４又は５に記載された搬送システムの走行制御方法において、
前記曲線部に対し旋回角加速度に基づく閾値を予め設定し、コーナリング中の時々刻々における車両速度と車両実舵角の積が、前記閾値以下となるように前記牽引車両の速度と実舵角を制御する
ことを特徴とする搬送システムの走行制御方法。
【請求項７】
請求項６に記載された搬送システムの走行制御方法において、
前記閾値を、前記曲線部に対する上限旋回角加速度と、前記牽引車両のトレッド長との積により予め設定する
ことを特徴とする搬送システムの走行制御方法。
【請求項８】
予め定められた走行ルートを、牽引車両で被牽引車両を牽引する形式の搬送移動車両により走行するコントローラを備える搬送システムの走行制御装置において、
前記被牽引車両の減速機構は、牽引機能を有する前記牽引車両の減速によって生じる慣性入力でブレーキが作動する仕組とし、
前記コントローラは、前記走行ルートに沿って前記搬送移動車両が走行するとき、前記牽引車両と前記被牽引車両の仕様によって物理的に決定される上限コーナリング速度を用いて速度プロファイルを生成する速度プロファイル生成部を有し、
前記速度プロファイル生成部は、
前記搬送移動車両が前記走行ルートの直線部を走行中、曲線部が開始される前の曲線部開始手前点に到達すると、前記曲線部に入るまでに直線部速度から前記上限コーナリング速度以下のコーナリング速度まで減速し、
前記曲線部に入ると、前記牽引車両及び前記被牽引車両が前記曲線部を走破するまでのコーナリング中、減速することなく走行する速度プロファイルを生成する
ことを特徴とする搬送システムの走行制御装置。
【発明の詳細な説明】
【技術分野】
【０００１】
本開示は、予め定められた走行ルートを、牽引車両で被牽引車両を牽引する形式の搬送移動車両により走行する搬送システムの走行制御方法及び走行制御装置に関する。
【背景技術】
【０００２】
従来、管制塔T80と牽引車T90を備え、管制塔T80は、無人搬送車T30を予め定められた走行路を走行させる時の少なくとも積載重量の情報を取得する。そして、この取得した情報に基いた要求駆動力に対し無人搬送車T30の駆動力が不足する時に、無人搬送車T30に牽引車T90を連結させて予め定められた走行路を走行させる無人搬送車の搬送システムが知られている（特許文献１を参照）。
【先行技術文献】
【特許文献】
【０００３】
【特許文献１】特開２０１６−２０１３１号公報
【発明の概要】
【発明が解決しようとする課題】
【０００４】
しかしながら、上記従来例にあっては、無人搬送車により牽引される牽引車に、駆動機構が必要となりコスト高となる。そこで、減速機構のみを設けた被牽引車両を設定することが考えられる。減速機構として、一般的に無人搬送車の減速によって生じる慣性入力でブレーキが作動する仕組とする手法が考えられる。しかし、この手法では、減速をしながら走行ルートの曲線部に入りコーナリングを開始すると、被牽引車両に減速慣性が入力され、被牽引車両の慣性ブレーキを作動させたままでコーナリングに入ってしまう。このため、特に、無人搬送システムのような複数の台車を牽引する搬送移動車両においては、コーナリング中に発生する制動フリクションが、制動力無しのフリー状態と比べて増大し、電費や燃費のロスが生じる、という問題があった。
【０００５】
本開示は、上記問題に着目してなされたもので、搬送移動車両によるコーナリング中、駆動エネルギーロスを抑制することを目的とする。
【課題を解決するための手段】
【０００６】
上記目的を達成するため、本開示は、予め定められた走行ルートを、牽引車両で被牽引車両を牽引する形式の搬送移動車両により走行する。
この搬送システムの走行制御方法において、被牽引車両の減速機構は、牽引機能を有する牽引車両の減速によって生じる慣性入力でブレーキが作動する仕組とする。
走行ルートに沿って搬送移動車両が走行するとき、牽引車両と被牽引車両の仕様によって物理的に決定される上限コーナリング速度を用いて速度プロファイルを生成する。
搬送移動車両が走行ルートの直線部を走行中、曲線部が開始される前の曲線部開始手前点に到達すると、曲線部に入るまでに直線部速度から上限コーナリング速度以下のコーナリング速度まで減速する。
曲線部に入ると、牽引車両及び被牽引車両が曲線部を走破するまでのコーナリング中、減速することなく走行する。
【発明の効果】
【０００７】
このように、コーナリング中は減速することなく走行し、コーナリング中に被牽引車両にて発生し得る制動フリクションを抑えることで、搬送移動車両によるコーナリング中、駆動エネルギーロスを抑制することができる。
【図面の簡単な説明】
【０００８】
【図１】実施例１の走行制御方法及び走行制御装置が適用された無人搬送システムにおける走行環境の一例を示す走行環境説明図である。
【図２】実施例１の無人搬送システムでの牽引車両と複数の台車により構成される搬送移動車両の一例を示す図である。
【図３】実施例１の走行制御方法及び走行制御装置が適用された無人搬送システムの制御系構成を示す制御系構成図である。
【図４】実施例１における牽引車両に搭載されている自動運転用認識判断プロセッサの詳細構成を示す制御ブロック図である。
【図５】実施例１の速度プロファイル生成部に設定されている速度プロファイル特性とタイヤ実舵角プロファイル生成部に設定されているタイヤ実舵角プロファイル特性を示すプロファイル特性図である。
【図６】比較例における走行ルートでの直線部→曲線部→直線部へと走行するとき曲線部に差し掛かった際の搬送移動車両の模式と速度時系列の変化を示す作用説明図である。
【図７】実施例１における走行ルートでの直線部→曲線部→直線部へと走行するとき曲線部に差し掛かった際の搬送移動車両の模式と速度時系列の変化を示す作用説明図である。
【図８】実施例２における牽引車両に搭載されている自動運転用認識判断プロセッサの詳細構成を示す制御ブロック図である。
【図９】実施例２の速度プロファイル生成部に設定されている曲線部の速度プロファイル特性とタイヤ実舵角プロファイル生成部に設定されている曲線部のタイヤ実舵角プロファイル特性を示す曲線部プロファイル特性図である。
【図１０】実施例２の代表例における走行ルートでの直線部→曲線部→直線部へと走行するとき曲線部に差し掛かった際の搬送移動車両の模式と速度時系列の変化を示す作用説明図である。
【図１１】実施例２の変形例における走行ルートでの直線部→曲線部→直線部へと走行するとき曲線部に差し掛かった際の搬送移動車両の模式と速度時系列の変化を示す作用説明図である。
【発明を実施するための形態】
【０００９】
以下、本開示による搬送システムの走行制御方法及び走行制御装置を実現する最良の実施形態を、図面に示す実施例１及び実施例２に基づいて説明する。
【実施例１】
【００１０】
まず、構成を説明する。
実施例１における走行制御方法及び走行制御装置は、無人運転の牽引車両により複数の台車（被牽引車両の一例）を牽引する形式の搬送移動車両により、工場においてラインオフした完成車を工場敷地内や埠頭等にて搬送する無人搬送システムに適用したものである。以下、実施例１の構成を、「無人搬送システムの走行環境構成」、「搬送移動車両の構成」、「無人搬送システムの制御系構成」、「自動運転用認識判断プロセッサの詳細構成」に分けて説明する。
【００１１】
［無人搬送システムの走行環境構成］
図１は、実施例１の走行制御方法及び走行制御装置が適用された無人搬送システムにおける走行環境の一例を示す。以下、図１に基づいて無人搬送システムの走行環境構成を説明する。
【００１２】
無人搬送システムは、限定されたエリア内における規定の走行ルート上を、無人自動運転による牽引車両により複数の台車を牽引する形式の搬送移動車両(V101〜V105)が、搬送対象である完成車を台車上に載せて目的地まで無人搬送するシステムである。
【００１３】
搬送対象を載せる場所は一か所(D101)であり、搬送対象を降ろす場所は複数地点(D102〜D105)存在する。なお、搬送対象を載せる場所と搬送対象を降ろす場所のそれぞれが複数箇所の場合でも良い。
【００１４】
また、走行ルートは専用の走行ルートではなく、ドライバーによる有人車両(O101〜O103)も同一エリアを走行し、無人の搬送移動車両(V101〜V105)と有人車両(O101〜O103)の交通を統制するルート内信号機(I101〜I104)が走行ルート上の各所に設置されている。なお、走行ルートを、無人の搬送移動車両(V101〜V105)の専用走行ルートとしても良い。
【００１５】
作業者は、載せ降し作業と次の目的地への発進作業を行う目的で、走行ルート上の載せ降し場(D101〜D105)の位置に、それぞれ１名ずつ配置している(ルート内作業者W101〜W105)。走行ルート外には、各システムのステータスを監視する目的で、屋内に設けられた管制室に１名配置している(管制室作業者W106)。
【００１６】
［搬送移動車両の構成］
図２は、実施例１の無人搬送システムでの牽引車両１と複数の台車２，３，４により構成される搬送移動車両５の一例を示す図である。以下、図２に基づいて、搬送移動車両５の構成を説明する。
【００１７】
搬送移動車両５は、図２に示すように、牽引車両１と、牽引車両１に対して連結された台車２，３，４（被牽引車両）と、を有する。
【００１８】
牽引車両１は、無人搬送システムのシステム稼働状態において、基本的に、無人運転による自動運転走行をする車両である。しかし、牽引車両１の車内には、ステアリングホイール、アクセルペダル、ブレーキペダルを有し、ドライバーが乗り込んで、有人による自動運転走行や有人マニュアル運転も可能な車両である。
【００１９】
台車２，３，４は、搬送対象である完成車を乗せる荷台をそれぞれ有する被牽引車両である。台車２，３，４の互いの連結部には、油圧慣性カプラ１２，１３，１４と、三方弁２２，２３，２４と、パーキングブレーキ用手動ポンプ３２，３３,３４と、が設定されている。これら油圧系統は、台車２，３，４のそれぞれの各輪に設定された制動ブレーキ４２，４３，４４（例えば、ドラムブレーキ）に連結されている。
【００２０】
システム稼働状態（通常の無人運転状態）における三方弁２２，２３，２４は、油圧慣性カプラ１２，１３，１４と、制動ブレーキ４２，４３，４４とを油圧系統で接続するように制御される。このため、走行中に牽引車両１が減速すると、その減速慣性が油圧慣性カプラ２２，２３，２４にて油圧に変換され、その油圧に応じて制動ブレーキ４２，４３，４４が制動力を発生することで、台車２，３，４を減速させる仕組となっている。
【００２１】
一方、システム休止状態や手動走行状態における三方弁２２，２３，２４は、油圧慣性カプラ１２，１３，１４に代え、パーキングブレーキ用手動ポンプ３２，３３，３４と、制動ブレーキ４２，４３，４４とを油圧系統で接続するように制御される。このため、レバー操作によりパーキングブレーキ用手動ポンプ３２，３３，３４にて油圧が発生し、その油圧に応じて制動ブレーキ４２，４３，４４が制動力を発生する。つまり、システム休止状態や手動走行状態において、台車２，３，４を制動停止状態とする手動パーキングブレーキとして活用することができる。
【００２２】
［無人搬送システムの制御系構成］
図３は、実施例１の走行制御方法及び走行制御装置が適用された無人搬送システムの制御系構成を示す。以下、図３に基づいて、無人搬送システムの制御系構成を説明する。
【００２３】
搬送移動車両V101〜V105のうち牽引車両１には、車載センサM101と、自動運転用認識判断プロセッサM102と、自動運転用制御コントローラM104と、を備える。
【００２４】
車載センサM101は、車両位置、車両運動量、車両周囲環境をセンシングデータとして取得する。なお、車載センサM101には、各搬送移動車両V101〜V105の位置を検出する車両位置検出手段としてのGPSシステム101aと、車両周囲環境を撮像する外界センサとしての車載カメラ101bを含む。これ以外に、自車速検出手段としての車速センサ101cと、ヨーレート検出手段としてのヨーレートセンサ101dと、物体検知手段としてのライダー/レーザ101eなどが車載センサM101として搭載されている（図４参照）。
【００２５】
自動運転用認識判断プロセッサM102は、車載センサM101からのセンシングデータと、地図/ルートデータM103に基づいて、自動運転により走行するための様々な認識判断を統合処理する。この自動運転用認識判断プロセッサM102では、コーナリング中のタイヤ実舵角と車速を決める走行制御処理も行う。
【００２６】
自動運転用制御コントローラM104は、自動運転用認識判断プロセッサM102による認識判断結果に基づいて、車両の「走る・曲がる・止まる」を制御するための各制御指令値を計算する。そして、計算された各制御指令値を、ステアリングM105、アクセルM106、ブレーキアクチュエータM107を制御するための各車両ECUに入力することで、目的地までの自律走行を実現するようにしている。
【００２７】
目的地や走行ルートは、地図/ルートデータM103に記録された仮想的な走行コースを追従走行するものであるが、AGV(Auto Guided Vehicle)のように、地上に埋設した磁気レール等の物理的な走行ルートを追従走行するものでも良い。
【００２８】
搬送移動車両V101〜V105へ指令を行う目的で、車室内には、運転席に乗車して有人状態での操作指令を行うための車内操作盤M108が車載されている。車室外には、無人状態での操作指令を行うための車外操作盤M109が、走行ルート上の載せ降し場(D101〜D105)のそれぞれの位置に設置されている。そして、車外操作盤M109へルート内作業者W101〜W105からの操作入力があると、シーケンサM110を介して自動運転用制御コントローラM104に伝え、自律走行を制御する。
【００２９】
車内操作盤M108と車外操作盤M109には、自律走行中でも強制的に停車させることを目的として、停止ボタンが設けられている。各停止ボタンが押されると、車載されたメカブレーキ機構M111がシーケンサM110を介して作動され、ブレーキアクチュエータM107のペダルに介入することで制動をかける。
【００３０】
メカブレーキ機構M111は、自律走行制御中でも独立して作動し、また、自律走行制御指令よりも優先して作動されるもので、外部からの停止指令の他、車両のシステムフェイルやレーン逸脱等の自己判断の処理結果に基づいても作動されるものとする。
【００３１】
車載したワイヤレスモジュールM112と無線通信して、車両とコミュニケーションを図り、自律走行を制御するものとして、管制室のリモートモニタ/コントローラM113を有する。リモートモニタ/コントローラM113には、各搬送移動車両V101〜V105のステータスを遠隔監視し、ステータス情報に基づいた個別停止指令や、地震等による運用困難な状況を想定した一斉停止指令が、基本機能として備わっている。
【００３２】
また、車載したワイヤレスモジュールM112は、その他の無線機器として、交差点等、コース上に設置された信号機M114(I101〜I104)とも交差点での発進/停止指令に関する無線通信を行っている。さらに、ルート内作業者W101〜W105は、それぞれリモートコントローラM115（遠隔操作機器）を所持しており、作業者付近で発生した異常時、車載したワイヤレスモジュールM112への無線通信で強制的に停止指令を送ることができる。
【００３３】
なお、このリモートコントローラM115には、GPSシステムが内蔵されており、ルート内作業者W101〜W105は運用中、常に携帯することで、管制室のリモートモニタ/コントローラM113からは、無線通信によりルート内作業者W101〜W105がエリア内のどの位置にいるかが分かる仕組みになっている。
【００３４】
最後に、車外に設置したスピーカ/回転灯M116を、車両ステータスや車両動作(一時停止、再発進、右左折、障害物停止、目的地停止、異常停止、等)に基づいて制御し、視覚的聴覚的に周囲へ注意喚起を行う。
【００３５】
［自動運転用認識判断プロセッサの詳細構成］
図４は、実施例１における牽引車両１に搭載されている自動運転用認識判断プロセッサM102の詳細構成を示す。以下、図４に基づいて、自動運転用認識判断プロセッサM102の詳細構成を説明する。
【００３６】
自動運転用認識判断プロセッサM102は、CPU，ROM，RAM等から構成され、図４に示すように、走行ルート生成部102aと、車線白線検出部102bと、走行車線検出部102cと、他車両検出部102dと、を備える。そして、状況判断部102eと、逸脱閾値設定部102fと、逸脱閾値判断部102gと、速度プロファイル生成部102hと、タイヤ実舵角プロファイル生成部102iと、を備える。
【００３７】
走行ルート生成部102aは、GPSシステム101aからの自車位置情報と、地図/ルートデータM103からの道路情報とを入力する。そして、出発地から目的地までの予定走行ルートが決まると、道路（走行車線）のセンタ位置と自車の車両前後方向中心線が一致するように走行ルートを生成する。
【００３８】
車線白線検出部102bは、車載カメラ101bからの自車周囲の画像情報を入力する。そして、画像処理により車線白線を検出する。
【００３９】
走行車線検出部102cは、車載カメラ101bからの自車周囲の画像情報を入力する。そして、画像処理により自車の走行車線を検出する。
【００４０】
他車両検出部102dは、車載カメラ101bからの自車周囲の画像情報と、ライダー/レーザ101eからの自車周囲の物体存在情報を入力する。そして、画像処理により物体と認識された領域に物体が存在することにより、他車両を検出する。
【００４１】
状況判断部102eは、走行ルート生成部102aからの走行ルート情報と、車速センサ101cからの車速情報と、ヨーレートセンサ101dからのヨーレート情報と、車線白線検出部102bからの車線白線情報と、走行車線検出部102cからの走行車線情報を入力する。つまり、車速情報とヨーレート情報により自車における速度及び姿勢に関する運動状態量を得る。また、車線白線情報と走行車線情報により、自車と走行車線における左右白線までの相対位置関係を定量的に把握する。そして、自車の走行状況を、運動状態量と左右白線までの相対位置関係により判断する。
【００４２】
逸脱閾値設定部102fは、状況判断部102eからの自車の走行状況情報を入力する。そして、自車の走行状況に基づいて、走行ルートからの自車の道路幅方向の逸脱閾値を設定する。
【００４３】
逸脱閾値判断部102gは、走行車線検出部102cからの走行車線情報と、他車両検出部102dからの他車両情報と、逸脱閾値設定部102fからの逸脱閾値情報を入力する。そして、走行ルートからの自車の道路幅方向の逸脱量が、逸脱閾値以上であるか否かを判断する。判断結果が、逸脱量≧逸脱閾値であるとき、タイヤ実舵角を補正する指令を自動運転用制御コントローラM104へ出力し、自車の位置と姿勢を走行ルートの適正な位置と姿勢に戻す舵角制御を行う。
【００４４】
速度プロファイル生成部102hは、状況判断部102eからの自車の走行状況情報を入力する。そして、速度プロファイル特性と、走行ルート上での自車の走行位置とに基づいて、自車の目標車速を決定し、目標車速を得る指令を自動運転用制御コントローラM104へ出力し、自車の車速が目標車速となるように駆動/制動制御を行う。
【００４５】
ここで、速度プロファイル特性は、図５に示すように、搬送移動車両１が走行ルートの直線部６１を走行中、曲線部６０が開始される前の曲線部開始手前点ａに到達すると、曲線部６０に入るまでに直線部速度から上限コーナリング速度Vcmax以下のコーナリング速度Vcまで減速する。
【００４６】
なお、「曲線部開始手前点ａ」は、搬送移動車両１を所定勾配により減速させたとき、曲線部開始点ｄを越えることがない曲線部直前の点f1にてコーナリング速度Vc（＜上限コーナリング速度Vcmax）になる距離に設定する。詳細には、直線部速度からコーナリング速度Vcまで減速するのに必要とする距離を減速必要距離（＝ａ〜f1）とし、コーナリング速度Vcまでの減速から等速へと移行するのに必要とする距離を移行必要距離（＝f1〜ｄ）とする。このとき、曲線部開始手前点ａは、曲線部開始点ｄから、減速必要距離（＝ａ〜f1）と、オーバーシュート分による減速を回避する移行必要距離（＝f1〜ｄ）とを加えた距離以上の手間位置に設定する。
【００４７】
「直線部速度」は、搬送移動車両１が走行ルートの直線部６１を走行するとき、上限速度とされる直線上限速度Vsmaxに設定する。
【００４８】
「上限コーナリング速度Vcmax」は、走行ルートに沿って搬送移動車両１が走行するとき、牽引車両１と台車２，３，４の仕様（各寸法，ホイールベース，トレッド，質量，回転半径等）によって物理的に決定される値として予め算出しておく。
【００４９】
そして、曲線部開始点ｄから曲線部終了点ｅまでの速度時系列ｂ（＝曲線部６０）に入ると、牽引車両１及び台車２，３，４が速度時系列ｂを走破するまでのコーナリング中、減速することなく、コーナリング速度Vcを維持したままとする。
【００５０】
曲線部終了点ｅから直線部６２に入ると、搬送移動車両１を、所定の加速勾配にて加速し、直線上限速度Vsmaxになると加速終了点g1とし、加速終了点g1の後は、直線上限速度Vsmaxを維持したままとする。
【００５１】
タイヤ実舵角プロファイル生成部102iは、状況判断部102eからの自車の走行状況情報を入力する。そして、タイヤ実舵角プロファイル特性と、走行ルート上での自車の走行位置とに基づいて、自車の目標舵角を決定し、目標舵角を得る指令を自動運転用制御コントローラM104へ出力し、自車のタイヤ実舵角が目標舵角となるように舵角制御を行う。
【００５２】
ここで、タイヤ実舵角プロファイル特性は、図５に示すように、搬送移動車両１が走行ルートの直線部６１を走行中、曲線部６０の開始手前点h1に到達すると、曲線部開始点ｄに到達するまでに、タイヤ中立位置δoからタイヤ実舵角δcだけタイヤを右転舵させる。曲線部開始点ｄから曲線部終了点ｅまでの速度時系列ｂ（＝曲線部６０）に入ると、牽引車両１及び台車２，３，４が速度時系列ｂを走破するまでのコーナリング中、タイヤ実舵角δcを維持したままとする。曲線部終了点ｅから直線部６２に入ると、タイヤを左転舵し、タイヤ中立位置δoになると転舵終了点h2とし、その後、タイヤ中立位置δoを維持したままとする。
【００５３】
次に、作用を説明する。
実施例１の作用を、「比較例での搬送移動車両によるコーナリング作用」、「実施例１での搬送移動車両によるコーナリング作用」に分けて説明する。
【００５４】
［比較例での搬送移動車両によるコーナリング作用］
図６は、比較例における走行ルートでの直線部→曲線部→直線部へと走行するとき曲線部に差し掛かった際の搬送移動車両の模式と速度時系列の変化を示す。以下、図６に基づいて、比較例での搬送移動車両によるコーナリング作用を説明する。
【００５５】
直線部と曲線部を有する走行ルートに沿って時々刻々における自車の車速を規定する速度プロファイルの生成による速度制御が無く、走行ルートからの自車の逸脱を抑えるように走行制御するものを比較例とする。
【００５６】
牽引車両１と台車２，３，４で構成される搬送移動車両５は、走行ルートに沿って走行するとき、直線部６１，６２に対して曲線部６０は、走行速度を下げる必要が物理的に発生する。即ち、搬送移動車両５が直線部６１から曲線部６０へ差し掛かる際、図６に示すように、直線部６１の曲線部開始手前点ａに到達すると、曲線部６０での搬送移動車両５の旋回回頭性を確保するように、減速させる必要が発生する。
【００５７】
この時、比較例では、曲線部６０に対応する速度時系列ｂの領域において、例えば、自車が走行ルートから逸脱することが無く、曲がりきれるコーナリング速度Vc以下の速度を遵守する制御を行うとする。このため、直線部６１からの減速が残った状態で曲線部６０を走行してしまうことになり、図６の矢印Ａで囲まれる速度特性に示すように、曲線部開始点ｄから曲線部途中点ｉまでの間、搬送移動車両５が減速する。よって、コーナリング中であるにもかかわらず、油圧慣性カプラ１２，１３，１４に減速慣性が入力され、台車２，３，４における制動ブレーキ４２，４３，４４の作動に伴う制動力がフリクションとして残ってしまう。
【００５８】
この結果、牽引車両１は、コーナリング中であるにもかかわらず、制動力によるフリクションを打ち消すだけの駆動力を上乗せして出力する必要が発生する。この牽引車両１による駆動力の捻出は、牽引車両１の駆動エネルギーロスにつながるため、無人搬送システムとしての効率を下げてしまう。牽引車両１が電気自動車の場合は、電費ロスになるし、牽引車両１がエンジン車の場合は、燃費ロスになる。
【００５９】
さらに、油圧慣性カプラ１２，１３，１４を介し、台車２，３，４の制動ブレーキ４２，４３，４４を作動させたまま、コーナリング挙動に入ってしまう。このため、コーナリング時の横力入力による制動ブレーキ４２，４３，４４の左右利き度合差が生じることがあり、台車２，３，４のコーナリング挙動が乱れ易くなる。
【００６０】
［実施例１での搬送移動車両によるコーナリング作用］
図７は、実施例１における走行ルートでの直線部→曲線部→直線部へと走行するとき曲部に差し掛かった際の搬送移動車両の模式と速度時系列の変化を示す。以下、図７に基づいて、実施例１での搬送移動車両によるコーナリング作用を説明する。
【００６１】
実施例１では、搬送移動車両５が走行ルートの直線部６１を走行中、曲線部６０が開始される前の曲線部開始手前点ａに到達すると、曲線部６０に入るまでに直線上限速度Vsmaxから上限コーナリング速度Vcmax以下のコーナリング速度Vcまで減速される。そして、曲線部６０に入ると、牽引車両１及び台車２，３，４が曲線部６０を走破するまでのコーナリング中、減速することなく一定速度で走行する。
【００６２】
即ち、牽引車両１と台車２，３，４で構成される搬送移動車両５は、搬送経路上において速度プロファイルを任意に設定することが可能である。さらに、搬送移動車両５の各寸法，ホイールベース，トレッド，質量，回転半径等に代表される機械的性質を勘案することで、直線部６１，６２における上限速度を直線上限速度Vsmaxとし、曲線部６０における上限速度を上限コーナリング速度Vcmaxと予め設定することが可能となる。
【００６３】
このように、上限コーナリング速度Vcmaxを用いて速度プロファイルを設定するという条件下で、搬送移動車両５における直線上限速度Vsmaxを、曲線部６０に差し掛かる点f1までに、コーナリング速度Vcへの減速を完了させる。但し、コーナリング速度Vcは、曲線部６０の上限コーナリング速度Vcmax以下とする。点f1は速度プロファイルを設定する際に任意に決めればよく、例えば、曲線部開始点ｄの数メートル手前に配置する。その後、曲線部６０においては上限コーナリング速度Vcmax以下まで減速させたコーナリング速度Vcを維持し、駆動としてはパーシャル状態の速度プロファイルで走破させる。
【００６４】
これにより、コーナリング中に牽引車両１から油圧慣性カプラ１２，１３，１４への減速による慣性入力は発生せず、台車２，３，４での制動ブレーキ４２，４３，４４は作動しない。このため、搬送移動車両５は、比較例のように、駆動力を上乗せして出力する必要が無く、駆動エネルギーロスを抑えながら、曲線部６０をコーナリングすることが可能となる。なお、コーナリング中、コーナリング速度Vcを維持すると、牽引車両１の駆動としては、加速も減速もしないパーシャル状態になるため、駆動エネルギーロスを最小限域まで抑えることが可能になる。
【００６５】
次に、効果を説明する。
実施例１における無人搬送システムの走行制御方法及び走行制御装置にあっては、下記に列挙する効果が得られる。
【００６６】
(1) 予め定められた走行ルートを、牽引車両１で被牽引車両（台車２，３，４）を牽引する形式の搬送移動車両５により走行する。
この搬送システム（無人搬送システム）の走行制御方法において、被牽引車両（台車２，３，４）の減速機構は、牽引機能を有する牽引車両１の減速によって生じる慣性入力でブレーキ（制動ブレーキ４２，４３，４４）が作動する仕組とする。
走行ルートに沿って搬送移動車両５が走行するとき、牽引車両１と被牽引車両（台車２，３，４）の仕様によって物理的に決定される上限コーナリング速度Vcmaxを用いて速度プロファイルを生成する。
搬送移動車両５が走行ルートの直線部６１を走行中、曲線部６０が開始される前の曲線部開始手前点ａに到達すると、曲線部６０に入るまでに直線部速度（直線部上限速度Vsmax）から上限コーナリング速度Vcmax以下のコーナリング速度Vcまで減速する。
曲線部６０に入ると、牽引車両１及び被牽引車両（台車２，３，４）が曲線部６０を走破するまでのコーナリング中、減速することなく走行する（図７）。
このため、搬送移動車両５によるコーナリング中、駆動エネルギーロスを抑制する無人搬送システム（搬送システム）の走行制御方法を提供することができる。
【００６７】
(2) 直線部速度からコーナリング速度Vcまで減速するのに必要とする距離を減速必要距離（＝ａ〜f1）とし、コーナリング速度Vcまでの減速から等速又は加速へと移行するのに必要とする距離を移行必要距離（＝f1〜ｄ）としたとき、
曲線部開始手前点ａは、曲線部開始点ｄから、減速必要距離（＝ａ〜f1）と移行必要距離（＝f1〜ｄ）を加えた距離以上の手間位置に設定する（図５）。
このため、(1)の効果に加え、曲線部６０である曲線部開始点ｄから共線部終了点ｅまでのコーナリング中、確実に減速することなく走行することができる。
【００６８】
(3) 搬送移動車両５を、曲線部６０に到達するまでに上限コーナリング速度Vcmax以下の所定速度（コーナリング速度Vc）まで減速させると、牽引車両１及び被牽引車両（台車２，３，４）が曲線部６０を走破するまでのコーナリング中、所定速度（コーナリング速度Vc）を維持したままで走行する（図５）。
このため、(1)又は(2)の効果に加え、コーナリング中、パーシャル状態の駆動とすることで、駆動エネルギーロスを最小限域まで抑えることができる。
【００６９】
(4) 予め定められた走行ルートを、牽引車両１で被牽引車両（台車２，３，４）を牽引する形式の搬送移動車両５により走行するコントローラ（自動運転用認識判断プロセッサM102）を備える。
この搬送システム（無人搬送システム）の走行制御装置において、被牽引車両（台車２，３，４）の減速機構は、牽引機能を有する牽引車両１の減速によって生じる慣性入力でブレーキ（制動ブレーキ４２，４３，４４）が作動する仕組とする。
コントローラ（自動運転用認識判断プロセッサM102）は、走行ルートに沿って搬送移動車両５が走行するとき、牽引車両１と被牽引車両（台車２，３，４）の仕様によって物理的に決定される上限コーナリング速度Vcmaxを用いて速度プロファイルを生成する速度プロファイル生成部102hを有する。
速度プロファイル生成部102hは、
搬送移動車両５が走行ルートの直線部６１を走行中、曲線部６０が開始される前の曲線部開始手前点ａに到達すると、曲線部６０に入るまでに直線部速度（直線部上限速度Vsmax）から上限コーナリング速度Vcmax以下のコーナリング速度Vcまで減速する。
曲線部６０に入ると、牽引車両１及び被牽引車両（台車２，３，４）が曲線部６０を走破するまでのコーナリング中、減速することなく走行する速度プロファイルを生成する（図５）。
このため、搬送移動車両５によるコーナリング中、駆動エネルギーロスを抑制する無人搬送システム（搬送システム）の走行制御装置を提供することができる。
【実施例２】
【００７０】
実施例２は、速度プロファイルを生成する際、コーナリング中、微増速により加速するようにした例である。
【００７１】
まず、構成を説明する。
以下、実施例２の構成を、「自動運転用認識判断プロセッサの詳細構成」、「コーナリング中の速度と実舵角の設定構成」に分けて説明する。なお、「無人搬送システムの走行環境構成」、「搬送移動車両の構成」、「無人搬送システムの制御系構成」については、図１〜図３に示す実施例１の構成と同様であるので、図示並びに説明を省略する。
【００７２】
［自動運転用認識判断プロセッサの詳細構成］
図８は、実施例２における牽引車両１に搭載されている自動運転用認識判断プロセッサM102の詳細構成を示す。以下、図８に基づいて、自動運転用認識判断プロセッサM102の詳細構成を説明する。
【００７３】
自動運転用認識判断プロセッサM102は、CPU，ROM，RAM等から構成され、図８に示すように、走行ルート生成部102aと、車線白線検出部102bと、走行車線検出部102cと、他車両検出部102dと、を備える。そして、状況判断部102eと、逸脱閾値設定部102fと、逸脱閾値判断部102gと、速度プロファイル生成部102h’と、タイヤ実舵角プロファイル生成部102i’と、を備える。なお、速度プロファイル生成部102h’とタイヤ実舵角プロファイル生成部102i’を除き、実施例１と同様の構成であるので、説明を省略する。
【００７４】
速度プロファイル生成部102h’は、状況判断部102eからの自車の走行状況情報を入力する。そして、速度プロファイル特性と、走行ルート上での自車の走行位置とに基づいて、自車の目標車速を決定し、目標車速を得る指令を自動運転用制御コントローラM104へ出力し、自車の車速が目標車速となるように駆動/制動制御を行う。
【００７５】
ここで、速度プロファイル特性は、搬送移動車両１が走行ルートの直線部６１を走行中、曲線部６０が開始される前の曲線部開始手前点ａに到達すると、曲線部６０に入るまでに直線部速度から上限コーナリング速度Vcmax未満のコーナリング速度Vcsまで減速する（図１０及び図１１を参照）。
【００７６】
なお、「曲線部開始手前点ａ」は、搬送移動車両１を所定勾配により減速させたとき、曲線部開始点ｄを越えることがない曲線部直前の点f2にてコーナリング速度Vcs（＜上限コーナリング速度Vcmax）になる距離に設定する。詳細には、直線部速度からコーナリング速度Vcsまで減速するのに必要とする距離を減速必要距離（＝ａ〜f2）とし、コーナリング速度Vcsまでの減速から加速へと移行するのに必要とする距離を移行必要距離（＝f2〜ｄ）とする。このとき、曲線部開始手前点ａは、曲線部開始点ｄから、減速必要距離（＝ａ〜f2）と、オーバーシュート分による減速を回避し、加速へと移行する移行必要距離（＝f2〜ｄ）とを加えた距離以上の手間位置に設定する。
【００７７】
「直線部速度」は、搬送移動車両１が走行ルートの直線部６１を走行するとき、上限速度とされる直線上限速度Vsmaxに設定する。
【００７８】
「上限コーナリング速度Vcmax」は、走行ルートに沿って搬送移動車両１が走行するとき、牽引車両１と台車２，３，４の仕様（各寸法，ホイールベース，トレッド，質量，回転半径等）によって物理的に決定される値として予め算出しておく。
【００７９】
そして、曲線部開始点ｄから曲線部終了点ｅまでの速度時系列ｂ（＝曲線部６０）に入ると、牽引車両１及び台車２，３，４が速度時系列ｂを走破するまでのコーナリング中、微増速による加速度を維持したままとする。つまり、曲線部６０におけるコーナリング速度Vcの速度プロファイルは、図９に示すように、曲線部開始点ｄでのコーナリング速度Vcsから曲線部終了点ｅでのコーナリング速度Vce（≦上限コーナリング速度Vcmax）まで緩やかな上昇勾配による加速度特性にて与える。
【００８０】
なお、曲線部終了点ｅから直線部６２に入ると、実施例１と同様に、搬送移動車両１を所定の加速勾配にて加速し、直線上限速度Vsmaxになると、直線上限速度Vsmaxを維持したままとする。
【００８１】
タイヤ実舵角プロファイル生成部102i’は、状況判断部102eからの自車の走行状況情報を入力する。そして、タイヤ実舵角プロファイル特性と、走行ルート上での自車の走行位置とに基づいて、自車の目標舵角を決定し、目標舵角を得る指令を自動運転用制御コントローラM104へ出力し、自車のタイヤ実舵角が目標舵角となるように舵角制御を行う。
【００８２】
ここで、タイヤ実舵角プロファイル特性は、曲線部６０に入るまで実施例１と同様である。つまり、搬送移動車両１が走行ルートの直線部６１を走行中、曲線部６０の開始手前点に到達すると、曲線部開始点ｄに到達するまでに、タイヤ中立位置δoからタイヤ実舵角δcsだけタイヤを右転舵させる。
【００８３】
曲線部開始点ｄから曲線部終了点ｅまでの速度時系列ｂ（＝曲線部６０）に入ると、図９に示すように、牽引車両１及び台車２，３，４が速度時系列ｂを走破するまでのコーナリング中、タイヤ実舵角δcを徐々に低下させる特性とする。つまり、曲線部開始点ｄでのタイヤ実舵角δcsから曲線部終了点ｅでのタイヤ実舵角δceまでの緩やかな下降勾配により与える。
【００８４】
そして、曲線部終了点ｅから直線部６２に入ると、実施例１と同様に、タイヤを左転舵し、タイヤ中立位置δoになると転舵終了点とし、その後、タイヤ中立位置δoを維持したままとする。
【００８５】
［コーナリング中の速度と実舵角の設定構成］
上記のように、コーナリング中の速度プロファイルとして、加速度特性により与える場合、曲線部６０において、上限旋回加速度rcmaxを超えないようにする必要がある。つまり、曲線部６０に対し旋回角加速度に基づく閾値を予め設定しておき、コーナリング中の時々刻々における車両速度と車両実舵角の積が、閾値以下となるように牽引車両１の速度と実舵角を制御する必要がある。
【００８６】
曲線部６０における上限旋回加速度rcmaxは、上限コーナリング速度Vcmaxと同様に、搬送移動車両５の各寸法，ホイールベース，トレッド，質量，回転半径等に代表される機械的性質を勘案することで算出できる、或いは、実走による検証で特定可能である。
【００８７】
よって、曲線部６０における上限旋回加速度rcmaxが特定できると、搬送移動車両５の安全性が確保されるコーナリング速度で運用される範疇で、曲線部６０においては下記式(1)が成立するように制御すればよい。
rcmax×Tr＝Vc×δc                    …(1)
ここで、Tr：牽引車両１のトレッド長、Vc：牽引車両１におけるコーナンリング速度、δc：牽引車両１のタイヤ実舵角である。但し、ΔVc＞０、即ち、コーナリング中のコーナンリング速度Vcは、常に単調増速していくことが条件となる。
【００８８】
この式(1)の関係性を用い、左辺のrcmax×Trを閾値とすると、曲線部６０におけるコーナリング中において搬送移動車両５における牽引車両１は、時々刻々におけるコーナリング速度Vcとタイヤ実舵角δcを関連させながら制御することができる。
【００８９】
即ち、実施例２の場合、曲線部６０におけるコーナリング速度Vcの速度プロファイルは、図９に示すように、曲線部開始点ｄでのコーナリング速度Vcsから曲線部終了点ｅでのコーナリング速度Vceまで、緩やかな上昇勾配による加速度特性にて与えている。これに対し、曲線部６０におけるタイヤ実舵角δcのタイヤ実舵角プロファイルは、図９に示すように、曲線部開始点ｄでのタイヤ実舵角δcsから曲線部終了点ｅでのタイヤ実舵角δceまで、緩やかな下降勾配により与えている。
【００９０】
よって、コーナリング中、コーナリング速度Vcが上昇するのに対しタイヤ実舵角δcが低下することで、上記式(1)の右辺の（Vc×δc）の値は、閾値（rcmax×Tr）以下を満足する。言い換えると、コーナリング中の時々刻々において、搬送移動車両５は、上限旋回加速度rcmaxを越えることがない。
【００９１】
次に、実施例２での搬送移動車両５によるコーナリング作用を説明する。
図１０は、実施例２における走行ルートでの直線部→曲線部→直線部へと走行するとき曲部に差し掛かった際の搬送移動車両の模式と速度時系列の変化を示す。以下、図１０に基づいて、実施例２での搬送移動車両によるコーナリング作用を説明する。
【００９２】
実施例２では、搬送移動車両５が走行ルートの直線部６１を走行中、曲線部６０が開始される曲線部開始手前点ａに到達すると、曲線部６０に入るまでに直線上限速度Vsmaxから上限コーナリング速度Vcmax未満のコーナリング速度Vcsまで減速する。曲線部６０に入ると、牽引車両１及び台車２，３，４が曲線部６０を走破するまでのコーナリング中、微増速による一定の加速度を維持しながら走行する。
【００９３】
即ち、上限コーナリング速度Vcmaxを用いて速度プロファイルを設定するという条件下で、搬送移動車両５における直線上限速度Vsmaxを、曲線部６０に差し掛かる点f2までに、コーナリング速度Vcsより少し低速までの減速を完了させる。その後、曲線部６０においては、曲線部開始点ｄでのコーナリング速度Vcsから曲線部終了点ｅでのコーナリング速度Vceまで微増速により加速し、駆動状態の速度プロファイルで走破させる。
【００９４】
これにより、コーナリング中に牽引車両１から油圧慣性カプラ１２，１３，１４への減速による慣性入力は発生せず、台車２，３，４での制動ブレーキ４２，４３，４４は作動しない。そして、コーナリング中の速度変化（Vcs〜Vce）は、加速度運動で設定することで、台車２，３，４での制動ブレーキ４２，４３，４４に油圧が残ることなく、油圧慣性カプラ１２，１３，１４を介して積極的に抜かれる。
【００９５】
このため、搬送移動車両５は、比較例のように、駆動力を上乗せして出力する必要が無く、駆動エネルギーロスを最小限に抑えながら、曲線部６０をコーナリングすることが可能となる。加えて、コーナリング時の横力入力による制動ブレーキ４２，４３，４４の左右利き度合差（片効き）が生じることもなく、台車２，３，４のコーナリング挙動が乱れるのが防止される。
【００９６】
さらに、実施例２では、曲線部６０に対し旋回角加速度に基づく閾値（rcmax×Tr）を予め設定しておき、コーナリング中の時々刻々におけるコーナリング速度Vcとタイヤ実舵角δcの積（Vc×δc）が、閾値以下となるように制御している。
【００９７】
即ち、イメージとしては、相対的にコーナリング速度Vcが低い曲線部６０へのアプローチ時は、タイヤ実舵角δcが相対的に大きくなる。その後、コーナリング速度Vcが増速していくに従い、タイヤ実舵角δcが小さくなる（即ち直進に近くなる）といった制御形態となる。
【００９８】
このため、コーナリング中、コーナリング速度Vcとして、微増速により加速する制御を採用しながらも、タイヤ実舵角δcと関連付ける制御を行うことで、タイヤの横滑りによる影響が抑えられ、搬送移動車両５の安定したコーナリング制御が実現される。
【００９９】
なお、曲線部終了点ｅでのコーナリング速度Vceについて、図１０に示す例では、上限コーナリング速度Vcmax未満としたが、図１１に示すように、曲線部終了点ｅでのコーナリング速度Vceを上限コーナリング速度Vcmaxと一致させるようにしても良い。つまり、コーナリング中、速度プロファイルとして加速するコーナリング速度Vcで与えるとき、曲線部終了点ｅでのコーナリング速度Vceを、上限コーナリング速度Vcmax以下に設定すれば、搬送移動車両５の安全なコーナリングが実現される。
【０１００】
次に、効果を説明する。
実施例２における無人搬送システムの走行制御方法にあっては、下記に列挙する効果が得られる。
【０１０１】
(5) 搬送移動車両５を、曲線部６０に到達するまでに上限コーナリング速度Vcmax未満のコーナリング速度Vcsまで減速させると、牽引車両１及び被牽引車両（台車２，３，４）が曲線部６０を走破するまでのコーナリング中、微増速による加速度を維持したままで走行する（図１０）。
このため、上記(1)又は(2)の効果に加え、搬送移動車両５による曲線部６０のコーナリング中、牽引車両１による駆動エネルギーロスを最小限に抑えながら、台車２，３，４のコーナリング挙動が乱れるのを防止することができる。
【０１０２】
(6) コーナリング中の加速度は、搬送移動車両５が曲線部６０を走破した時点での速度が、上限コーナリング速度Vcmax以下となるように設定する（図１０、１１）。
このため、(5)の効果に加え、コーナリング中、加速するコーナリング速度Vcによる速度プロファイルとしながら、搬送移動車両５の安全なコーナリングを実現することができる。
【０１０３】
(7) 曲線部６０に対し旋回角加速度に基づく閾値（rcmax×Tr）を予め設定し、コーナリング中の時々刻々における車両速度（コーナリング速度Vc）と車両実舵角（タイヤ実舵角δc）の積が、閾値以下となるように牽引車両１の速度と実舵角を制御する（図９）。
このため、(5)又は(6)の効果に加え、コーナリング中、車両速度（コーナリング速度Vc）と車両実舵角（タイヤ実舵角δc）とを関連付ける制御を行うことで、搬送移動車両５の安定したコーナリング制御を実現することができる。
【０１０４】
(8) 閾値（rcmax×Tr）を、曲線部６０に対する上限旋回角加速度rcmaxと、牽引車両１のトレッド長Trとの積により予め設定する（図９）。
このため、(7)の効果に加え、車両のディメンジョンを反映した安定したコーナリング制御を実現するコーナリング速度Vc・タイヤ実舵角δcの時系列プロファイルを導出し易くすることができる。
【０１０５】
以上、本開示の搬送システムの走行制御方法及び走行制御装置を実施例１及び実施例２に基づき説明してきた。しかし、具体的な構成については、これらの実施例に限られるものではなく、特許請求の範囲の各請求項に係る発明の要旨を逸脱しない限り、設計の変更や追加等は許容される。
【０１０６】
実施例１，２では、本開示の走行制御方法及び走行制御装置を、完成車を搬送対象とし牽引車両で被牽引車両を牽引する形式の搬送移動車両を用いた無人搬送システムに適用する例を示した。しかし、本開示の走行制御方法及び走行制御装置は、自動運転が可能な搬送移動車両を用いる搬送システムであれば、有人搬送システムにも適用できる。例えば、搬送移動車両をトレーラバスとする無人/有人バスシステム、搬送移動車両をトレーラトラックとする無人/有人トラックシステム、搬送移動車両を連結した軌道走行車両とする無人/有人交通システム等の他の搬送システムに対しても適用することができる。
【符号の説明】
【０１０７】
１  牽引車両
２，３，４  台車（被牽引車両）
５  搬送移動車両
１２，１３，１４  油圧慣性カプラ
２２，２３，２４  三方弁
３２，３３,３４  パーキングブレーキ用手動ポンプ
４２，４３，４４  制動ブレーキ
M102  自動運転用認識判断プロセッサ（コントローラ）
102h,102h’  速度プロファイル生成部
102i,102i’  タイヤ実舵角プロファイル生成部
【図１】
2019036036.tif 000003
【図２】
2019036036.tif 000004
【図３】
2019036036.tif 000005
【図４】
2019036036.tif 000006
【図５】
2019036036.tif 000007
【図６】
2019036036.tif 000008
【図７】
2019036036.tif 000009
【図８】
2019036036.tif 000010
【図９】
2019036036.tif 000011
【図１０】
2019036036.tif 000012
【図１１】
2019036036.tif 000013